(57)【要約】      （修正有）【課題】一人で簡単にごみの収集作業を行うことができるごみ袋取付枠及びそれを用いたごみ収集器具を提供する。【解決手段】ごみ袋取付枠１０は、例えば、合成樹脂フイルム製のごみ袋を取り付けて用いるものであり、ごみ袋が取り付けられる枠本体１１と、枠本体１１に配設されたごみ誘導板１２とを備えている。枠本体１１は、３つの棒状部１１Ａと、湾曲された３つの湾曲部１１Ｂとを有し、これら３つの棒状部１１Ａと３つの湾曲部１１Ｂとを交互につなげることにより１つの環状体とされている。具体的には、枠本体１１は、角を丸めた三角形状であり、枠本体１１の外周側がごみ袋の開口部で覆われることによりごみ袋が取り付けられるようになっている。【選択図】図１
0003194951.tif 000002
【実用新案登録請求の範囲】
【請求項１】
ごみ袋を取り付けて用いるごみ袋取付枠であって、
３つの棒状部と、湾曲された３つの湾曲部とを有し、これら３つの棒状部と３つの湾曲部とを交互につなげることにより１つの環状体とされ、外周側がごみ袋の開口部で覆われることによりごみ袋が取り付けられる枠本体と、
この枠本体の１つの棒状部に対して配設され、ごみを前記枠本体の内側に誘導するためのごみ誘導板と
を備えたことを特徴とするごみ袋取付枠。
【請求項２】
前記枠本体の少なくとも外周側表面の一部には、弾性体よりなる弾性滑り止め部材が配設されたことを特徴とする請求項１記載のごみ袋取付枠。
【請求項３】
前記枠本体の外周長さは、取り付けるゴミ袋の開口部の内周長さよりも大きいことを特徴とする請求項１又は請求項２記載のごみ袋取付枠。
【請求項４】
請求項１から請求項３のいずれか１に記載のごみ袋取付枠と、このごみ袋取付枠に取り付けられる合成樹脂フイルム製のごみ袋とを備え、
前記ごみ袋は、前記ごみ袋取付枠の前記枠本体に対して、外周側を開口部で覆うことにより取り付けられる
ことを特徴とするごみ収集器具。
【考案の詳細な説明】
【技術分野】
【０００１】
本考案は、合成樹脂フイルム製等のごみ袋を着脱できるごみ袋取付枠及びそれを用いたごみ収集器具に関する。
【背景技術】
【０００２】
屋外等でごみの収集を行う場合には、例えば、片手に箒を持ち、片手に合成樹脂フイルム製のごみ袋持って、ごみ袋にごみを入れたり、ごみ袋を地面又は床上に置いて、ごみ袋にごみを入れたりしていた。しかし、ごみ袋が思うように開口しないためにごみを入れにくいという問題があった。また、一人がごみ袋を開口して持ち、他の一人が箒で集めたごみをごみ袋に入れるというように二人で作業する場合もあるが、人手が必要であり、一人で手軽に作業できないという問題があった。
【先行技術文献】
【特許文献】
【０００３】
【特許文献１】特開２００２−３６２７０２号公報
【考案の概要】
【考案が解決しようとする課題】
【０００４】
本考案は、このような問題に基づきなされたものであり、一人で簡単にごみの収集作業を行うことができるごみ袋取付枠及びそれを用いたごみ収集器具を提供することを目的とする。
【０００５】
なお、特許文献１には、２つのストッパー本体をネジで連結してリング枠体を形成し、このリング枠体にごみ袋を沿わせ、別途用意したゴム製のストッパーをはめ込むことにより、ごみ袋をリング枠体に固定するものが記載されている。しかしながら、特許文献１に記載の器具は、連結用のネジが必要であり、また、ごみ袋をリング枠体に沿わせてからゴム製のストッパーで固着しなければならず、使い勝手が悪いという問題があった。
【課題を解決するための手段】
【０００６】
本考案のごみ袋取付枠は、ごみ袋を取り付けて用いるものであって、３つの棒状部と、湾曲された３つの湾曲部とを有し、これら３つの棒状部と３つの湾曲部とを交互につなげることにより１つの環状体とされ、外周側がごみ袋の開口部で覆われることによりごみ袋が取り付けられる枠本体と、この枠本体の１つの棒状部に対して配設され、ごみを枠本体の内側に誘導するためのごみ誘導板とを備えたものである。
【０００７】
本考案のごみ収集器具は、本考案のごみ袋取付枠と、このごみ袋取付枠に取り付けられるごみ袋とを備え、ごみ袋は、ごみ袋取付枠の枠本体に対して、外周側を開口部で覆うことにより取り付けられるものである。
【考案の効果】
【０００８】
本考案によれば、３つの棒状部と３つの湾曲部とを交互につなげることにより１つの環状体とした枠本体を備えるようにしたので、例えば、１つの棒状部及びそれに隣接する２つの湾曲部の外周側をごみ袋の開口部で覆い、残りの１つの湾曲部の方に向かってごみ袋の開口部を広げ、その外周側を覆うように引掛けることにより、容易にごみ袋を取り付けることができる。また、枠本体にごみ袋を取り付けることにより、ごみ袋を開口した状態とすることができるので、片手で枠本体を持ち、容易に、ごみをごみ袋に直接入れることができる。更に、棒状部にごみ誘導板を配設するようにしたので、ごみ誘導板が配設された棒状部を下にしてごみを掃き寄せるようにすれば、ごみ誘導板の上を通過させて容易にごみをごみ袋の中に入れることができる。加えて、ごみ袋がごみで一杯になった場合には、例えば、１つの湾曲部に引掛けられているごみ袋の開口部を引っ張って湾曲部から外すことにより、容易に、枠本体からごみ袋を取り外すことができる。
【０００９】
従って、簡単に枠本体にごみ袋を着脱することができ、かつ、枠本体を持って簡単にごみ袋の中にごみを直接入れることができる。よって、一人で、容易に、短時間でごみ収集作業を行うことができる。また、電気などのエネルギーを使用せず、高価な道具も使用しないので、省力、省エネで、コストも安くすることができる。
【００１０】
また、枠本体の少なくとも外周側表面の一部に、弾性体よりなる弾性滑り止め部材を配設するようにすれば、枠本体の外周側を覆うことにより取り付けられたごみ袋が滑り落ちることを防止することができると共に、ごみ袋が傷ついて破損してしまうことを防止することができる。
【００１１】
枠本体の外周長さを取り付けるゴミ袋の開口部の内周長さよりも大きくするようにすれば、ごみ袋の開口部を引っ張って枠本体に取り付けることにより、密着させて取り付けることができる。
【図面の簡単な説明】
【００１２】
【図１】本考案の一実施の形態に係るごみ袋取付枠の構成を表す図である。
【図２】図１に示したごみ袋取付枠にごみ袋を取り付けたごみ収集器具の構成を表す図である。
【考案を実施するための形態】
【００１３】
以下、本考案の実施の形態について、図面を参照して詳細に説明する。
【００１４】
図１は、本考案の一実施の形態に係るごみ袋取付枠１０の構成を表すものである。図２は、図１に示したごみ袋取付枠１０にごみ袋２１を取り付けたごみ収集器具２０の構成を表すものである。このごみ袋取付枠１０は、例えば、合成樹脂フイルム製のごみ袋２１を取り付けて用いるものであり、ごみ袋２１が取り付けられる枠本体１１と、枠本体１１に配設されたごみ誘導板１２とを備えている。枠本体１１は、３つの棒状部１１Ａと、湾曲された３つの湾曲部１１Ｂとを有し、これら３つの棒状部１１Ａと３つの湾曲部１１Ｂとを交互につなげることにより１つの環状体とされている。具体的には、枠本体１１は、角を丸めた三角形状であり、枠本体１１の外周側がごみ袋２１の開口部で覆われることによりごみ袋２１が取り付けられるようになっている。
【００１５】
枠本体１１の外周長さは、取り付けるゴミ袋２１の開口部の内周長さよりも少し大きく、例えば、１ｍｍから５ｃｍ大きく形成されていることが好ましい。例えば、開口部の内周長さが１３２０ｍｍの市販されている４５Ｌのごみ袋２１に対応させる場合には、枠本体１１の外周長さを１３２０ｍｍよりも少し大きく、例えば、１３２１ｍｍから１３７０ｍｍの範囲内とすることが好ましい。枠本体１１の外周側を覆うようにごみ袋２１の開口部を引っ張り引っ掛けることにより、ごみ袋２１を枠本体１１に密着させて取り付けることができるからである。枠本体１１の太さは、例えば、３ｍｍから７ｍｍとすることが好ましい。
【００１６】
枠本体１１は、例えば、アルミニウム等の軽量金属、又は、プラスチックよりなる骨組み部材の表面にゴム又はポリウレタン等の弾性体よりなる弾性滑り止め部材が配設された構造とすることが好ましい。枠本体１１に取り付けたごみ袋２１が滑り落ちることを防止すると共に、ごみ袋２１が傷ついて破損してしまうことを防止するためである。弾性滑り止め部材は、例えば、枠本体１１の少なくとも外周側表面の一部に設けられていればよい。
【００１７】
但し、弾性滑り止め部材で骨組み部材の表面全体を覆い、かつ、弾性滑り止め部材を骨組み部材に対して回動可能とすれば、枠本体１１に配設したごみ誘導板１２を弾性滑り止め部材と共に骨組み部材に対して回動可能とすることができ、ごみ収集作業時と運搬時及び収納時とで、ごみ誘導板１２の位置を変えることができるので好ましい。ごみ誘導板１２は、ごみ収集作業時には枠本体１１に対して大きな角度を有する位置とすることが好ましいが、運搬時及び収納時には、枠本体１１に対して平行に近い位置とした方が小さくなって便利であるからである。
【００１８】
ごみ誘導板１２は、ごみを枠本体１１の内側、すなわち、枠本体１１に取り付けられたごみ袋１２の中に誘導するためのものであり、枠本体１１の１つの棒状部１１Ａに対して配設されている。ごみ誘導板１２は、例えば、プラスチックにより構成されている。ごみ誘導板１２の長さは、例えば、ごみ誘導板１２が配設されている棒状部１１Ａの長さ程度であることが好ましく、ごみ誘導板１２の幅は、例えば、３０ｍｍから１００ｍｍ程度、ごみ誘導板１２の厚みは、例えば、１ｍｍから３ｍｍ程度であることが好ましい。また、枠本体１１に対するごみ誘導板１２の位置が可動ではなく固定されている場合には、ごみ誘導板１２を配設した棒状部１１Ａを下にして枠本体１１を垂直に立てた状態で、ごみ誘導板１２が枠本体１１の内周側から斜め下向きに傾斜するように配設されていることが好ましい。傾斜角度は、例えば、水平面に対して２０度程度とすることが好ましい。
【００１９】
このごみ袋取付枠１０及びごみ収集器具２０は、例えば、次のようにして用いることができる。まず、枠本体１１にごみ袋２１を取り付ける。例えば、ごみ誘導板１２が配設された１つの棒状部１１Ａ及びそれに隣接する２つの湾曲部１１Ｂの外周側をごみ袋１２の開口部で覆い、残りの１つの湾曲部１１Ｂの方に向かってごみ袋２１の開口部を広げ、その外周側を覆うように引掛ける。次いで、例えば、ごみ袋２１を取り付けた枠本体１１を片手で持ち、片手に箒を持ってごみを掃き寄せ、ごみ誘導板１２の上を通過させて、ごみ袋２１の中にごみを直接入れる。ごみ袋２１がごみで一杯になった場合には、１つの湾曲部１１Ｂに引掛けられているごみ袋２１の開口部を引っ張って湾曲部１１Ｂから外すことにより、ごみ袋２１を枠本体１１から取り外す。
【００２０】
このように本実施の形態によれば、３つの棒状部１１Ａと３つの湾曲部１１Ｂとを交互につなげることにより１つの環状体とした枠本体１１を備えるようにしたので、例えば、１つの棒状部１１Ａ及びそれに隣接する２つの湾曲部１１Ｂの外周側をごみ袋２１の開口部で覆い、残りの１つの湾曲部１１Ｂの方に向かってごみ袋２１の開口部を広げ、その外周側を覆うように引掛けることにより、容易にごみ袋２１を取り付けることができる。また、枠本体１１にごみ袋２１を取り付けることにより、ごみ袋２１を開口した状態とすることができるので、片手で枠本体１１を持ち、容易に、ごみをごみ袋２１に直接入れることができる。更に、棒状部１１Ａにごみ誘導板１２を配設するようにしたので、ごみ誘導板１２が配設された棒状部１１Ａを下にしてごみを掃き寄せるようにすれば、ごみ誘導板１２の上を通過させて容易にごみをごみ袋２１の中に入れることができる。加えて、ごみ袋２１がごみで一杯になった場合には、例えば、１つの湾曲部１１Ｂに引掛けられているごみ袋２１の開口部を引っ張って湾曲部１１Ｂから外すことにより、容易に、枠本体１１からごみ袋２１を取り外すことができる。
【００２１】
従って、簡単に枠本体１１にごみ袋２１を着脱することができ、かつ、枠本体１１を持って簡単にごみ袋２１の中にごみを直接入れることができる。よって、一人で、容易に、短時間でごみ収集作業を行うことができる。また、電気などのエネルギーを使用せず、高価な道具も使用しないので、省力、省エネで、コストも安くすることができる。
【００２２】
また、枠本体１１の少なくとも外周側表面の一部に、弾性体よりなる弾性滑り止め部材を配設するようにすれば、枠本体１の外周側を覆うことにより取り付けられたごみ袋２１が滑り落ちることを防止することができると共に、ごみ袋２１が傷ついて破損してしまうことを防止することができる。
【００２３】
枠本体１１の外周長さを取り付けるゴミ袋２１の開口部の内周長さよりも大きくするようにすれば、ごみ袋２１の開口部を引っ張って枠本体１１に取り付けることにより、密着させて取り付けることができる。
【００２４】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。
【符号の説明】
【００２５】
１０…ごみ袋取付枠、１１…枠本体、１１Ａ…棒状部、１１Ｂ…湾曲部、１２…ごみ誘導板、２０…ごみ収集器具、２１…ごみ袋
【図１】
0003194951.tif 000003
【図２】
0003194951.tif 000004